(57)【要約】【課題】シート状の複数の構成部品が積層された状態の光学シートの運搬及び取り扱いが容易になるうえ、光学シートの面に沿う方向及び厚み方向への移動が防止できると共に、組み立て作業の効率を向上させることが出来るバックライト及び表示装置を提供する。【解決手段】光学シート７１の縁と当接し、前記光学シートの周縁部を覆う凹部８４を有する枠体の収容部材７を備え、該収容部材７に前記光学シート７１を収容しておき、組み立て工程では前記収容部材７ごとに組み立てを行う。【選択図】図２
2008140709.tif 000002
【特許請求の範囲】
【請求項１】
光源と、該光源からの光を均一に表示パネルへ照射するための光学シートとを備えるバックライトにおいて、
前記光学シートを収容する収容部材を備えており、
該収容部材は、前記光学シートの縁と当接し、前記光学シートの周縁部を覆う凹部を有する枠体であることを特徴とするバックライト。
【請求項２】
前記収容部材は、前記光学シートを前記収容部材に収容するための収容口と、
前記光学シートが前記収容部材から脱落することを防止する脱落防止部材とを備えていることを特徴とする請求項１に記載のバックライト。
【請求項３】
前記収容部材を所定位置に係止する係止部材を備えており、
該係止部材に対応する被係止部を前記収容部材に設けていることを特徴とする請求項１又は請求項２に記載のバックライト。
【請求項４】
前記収容部材は光学シートを押圧する押圧部材を備えていることを特徴とする請求項１乃至３のいずれか一つに記載のバックライト。
【請求項５】
前記押圧部材は弾性を有する圧接部を備え、該圧接部を介して前記光学シートを押圧するように構成してあることを特徴とする請求項１乃至４のいずれか一つに記載のバックライト。
【請求項６】
前記収容部材は長方形板状であり、
前記収容部材は前記長方形の一の短辺側が開口された形状の収容部を有しており、
該収容部の前記一の短辺側の側面には、前記脱落防止部材と嵌合される前記収容口が設けられ、  
前記収容部の長辺側には、一又は複数の前記被係止部及び押圧部材が設けられていることを特徴とする請求項１乃至５のいずれか一つに記載のバックライト。
【請求項７】
請求項１乃至６のいずれか一つに記載のバックライトと、
該バックライトからの光を用いて画像を表示する表示パネルと
を備えていることを特徴とする表示装置。
【発明の詳細な説明】
【技術分野】
【０００１】
本発明は、バックライト及びバックライトを備えた表示装置に関する。
【背景技術】
【０００２】
例えば液晶テレビ等の表示装置は、画像を表示する画像表示面を前側に有する表示パネルの後側にバックライトと、該バックライトを支持するシャーシと、該シャーシの後側に取付けられた電気部品とを備えている。
【０００３】
図６は従来の表示装置の全体の分解斜視図であり、図７は従来の表示装置の一部を拡大した断面図である。
【０００４】
図示した従来の表示装置は画像を表示する表示パネル１０１と、該表示パネル１０１の後側に配されたバックライト１０２と、該バックライト１０２を支持するシャーシ１０３と、該シャーシ１０３の後側に取付けられたインバータ回路基板等の電気部品１０４と、表示パネル１０１の前側周縁部を取り囲むフロントキャビネット１０５と、バックライト１０２及びシャーシ１０３の後側を覆うバックキャビネット１０６と、シャーシ１０３に取付けられ表示パネル１０１及びバックライト１０２を起立状態で支持するスタンド１０７とを備える。
【０００５】
バックライト１０２は反射偏光板、プリズムシート、拡散シート及び拡散板からなる光学シート１１０と、両端部に電極を有する複数の蛍光管１０７，１０７…及び蛍光管１０７，１０７…が放射した光を光学シート１１０側に反射させる反射板１０８を備え、蛍光管１０７，１０７…が表示パネル１０１と平行的に並置されている。
【０００６】
シャーシ１０３に螺子止めされたシート受部１０９は反射板１０８の周縁部を挟んで光学シート１１０を支持している。光学シート１１０は、光学シート１１０の周縁部が押圧体１１１にてシート受部１０９へ押圧されることによって固定されている。
【０００７】
ところが、従来の表示装置においては、光学シート１１０が押圧体１１１の押圧力のみによって固定されているので、運搬中に発生する振動、衝撃等が原因で光学シート１１０の位置にズレが発生する恐れがあると言った問題があった。このような問題を解決するために、特許文献１では光源及び光学シートを収容する支持枠を備え、該支持枠の側面に係止部を設けて該係止部を用いて前記支持枠を係止することにより、光学シート等の位置ズレを防止できる液晶表示装置を提案している。
【０００８】
また、従来の液晶表示装置は、電源交換等のメンテナンスの場合、シャーシ１０３及びシート受部１０９を外す必要があり、反射偏光板、プリズムシート、拡散シート及び拡散板からなる光学シート１１０がばらけて空気中の埃等が混入されるといった問題があった。このような問題を解決するために、特許文献２では光学シート１１０を一体的に保持するシート保持用シャーシを備えた液晶表示装置を提案している。
【特許文献１】特開２００６―１２８０３６号公報
【特許文献２】特開２００５―２０２０３６号公報
【発明の開示】
【発明が解決しようとする課題】
【０００９】
一方、近年表示画面、つまり表示パネルが大型化されており、表示装置の組み立てライン上においては、大型の光学シートを取り扱うこととなった。しかし、このような光学シートの大型化は組み立て作業効率の低下を招いていた。
【００１０】
つまり、光学シートが大型化されることによって該光学シートが反り易いうえ、強度が劣るので、丁寧な取り扱いが要求されるようになり、通常複数のシート状の構成部品を積層して行う光学シートの組み立て工程に遅延を招くのである。一方、各構成部品には取り扱いの過程で発生する損傷から該構成部品を保護するための保護膜が付されており、前記積層の際に前記保護層を剥がす作業を行うが、光学シートの大型化によって前記作業に係る所要時間が長くなり、さらに組み立て工程が遅延される結果となった。
【００１１】
このような問題の解決方法の一つとしては、各構成部品が積層された光学シート（以下、既製光学シートという）を予め用意しておき、バックライト又は表示装置の組み立てラインの光学シートの積層工程で、前記既製光学シートを組み立てる方法がある。
【００１２】
一方、このような方法の実現のためには、各構成部品の積層状態を保持したまま前記既製光学シートを組み立てラインまで運搬する必要がある。しかしながら、上述の特許文献１の支持枠及び特許文献２のシート保持用シャーシは、何れも収容又は保持された光学シートの厚み方向の一面が開口しており前記光学シートが前記一面から脱落する恐れがあり、前記光学シートを収容又は保持した状態での運搬が困難である。特に特許文献２のシート保持用シャーシは、保持された光学シートの面に沿う方向の大きさが前記光学シートより大きいので、運搬時に生じる振動、衝撃等により、既製光学シート又は各構成部品が面に沿う方向に摺動し、損傷を蒙る恐れもある。
【００１３】
本発明は、斯かる事情に鑑みてなされたものであり、本発明の目的は、光学シートの縁と当接し、前記光学シートの周縁部を覆う凹部を有する枠体の収容部材を備え、該収容部材に前記光学シートを収容しておき、組み立て工程では前記収容部材ごとに組み立てを行うことにより、既製光学シートの運搬及び取り扱いが容易になるうえ、光学シートの面に沿う方向への摺動が防止できると共に、組み立て作業の効率を向上させることが出来るバックライト及び表示装置を提供することにある。
【００１４】
また、本発明の他の目的は、前記光学シートを収容部材に収容するための収容口と、前記光学シートが前記収容口から脱落することを防止する脱落防止部材とを備えることにより、例えば、運搬中の振動、衝撃等によっても前記収容部材に収容された前記光学シートが前記収容口から脱落することを防止できるバックライト及び表示装置を提供することにある。
【００１５】
また、本発明の他の目的は、バックライトに前記収容部材を所定位置に係止する係止部材を備え、該係止部材に対応する被係止部を前記収容部材に設けることにより、前記収容部材の位置決めが容易になると共に、前記収容部材のガタツキ及び位置ズレを防止することが出来るバックライト及び表示装置を提供することにある。
【００１６】
また、本発明の他の目的は、前記収容部材は光学シートを押圧する押圧部材を備え、前記光学シートを押圧して収容部材に固定する構成にすることにより、前記収容部材内に収容された光学シートがその面に沿う方向又は厚み方向に移動し、光学シートが傷つくこと及び光学シートにシワ、シミが発生することを防止できるバックライト及び表示装置を提供することにある。
【００１７】
また、本発明の他の目的は、前記押圧部材が弾性を有する圧接部を介して光学シートを押圧する構成にすることにより、運搬中の光学シートに加わる衝撃を吸収すると共に、過度な押圧力から光学シートを保護することが出来るバックライト及び表示装置を提供することにある。
【００１８】
また、本発明の他の目的は、前記収容部材が前記光学シートを収容する収容部を有しており、該収容部に前記脱落防止部材が嵌合される前記収容口と、前記被係止部と、前記押圧部材が設けられる構成にすることにより、前記収容部材に収容された光学シートの面に沿う方向への摺動及び厚み方向への移動の防止が確保された状態で、前記収容部材の運搬及び組み立てができるバックライト及び表示装置を提供することにある。
【課題を解決するための手段】
【００１９】
本発明に係るバックライトは、光源と、該光源からの光を均一に表示パネルへ照射するための光学シートとを備えるバックライトにおいて、前記光学シートを収容する収容部材を備えており、該収容部材は、前記光学シートの縁と当接し、前記光学シートの周縁部を覆う凹部を有する枠体であることを特徴とする。
【００２０】
本発明にあっては、通常複数のシート状の構成部品からなる前記光学シートを予め前記収容部材に収容して置き、バックライトの組み立てラインに運搬する。該運搬の際、前記光学シートの面に沿う方向への摺動が前記凹部により抑制される。バックライトの組み立てライン中の光学シートの組み立て工程において、光学シートの構成部品を一枚ずつ積層する代わりに、前記光学シートが収容された状態の前記収容部材をそのまま組み立てる。
【００２１】
本発明に係るバックライトは、前記収容部材は、前記光学シートを前記収容部材に収容するための収容口と、前記光学シートが前記収容部材から脱落することを防止する脱落防止部材とを備えていることを特徴とする。
【００２２】
本発明にあっては、前記光学シートは前記収容口を介して収容部材内に収容される。収容された前記光学シートは前記脱落防止部材により、前記収容部材から脱落することが防止される。
【００２３】
本発明に係るバックライトは、前記収容部材を所定位置に係止する係止部材を備えており、該係止部材に対応する被係止部を前記収容部材に設けていることを特徴とする。
【００２４】
本発明にあっては、バックライト側には、前記収容部材を係止する係止部材を備え、前記収容部材側には、前記係止部材に対応する被係止部材を備え、前記収容部材をバックライトユニットの所定位置に係止させる。
【００２５】
本発明に係るバックライトは、前記収容部材は光学シートを押圧する押圧部材を備えていることを特徴とする。
【００２６】
本発明にあっては、前記収容部材に収容される光学シートが、前記収容部材内で光学シート面方向へ摺動又は厚み方向へ移動しないように前記押圧部材が前記光学シートを押圧して前記収容部材に固定する。
【００２７】
本発明に係るバックライトは、前記押圧部材は弾性を有する圧接部を備え、該圧接部を介して前記光学シートを押圧するように構成してあることを特徴とする。
【００２８】
本発明にあっては、前記押圧部材は、弾性を有する材料からなる前記圧接部を介して前記光学シートを押圧する。例えば光学シートに所定以上の押圧力がかかった場合、前記圧接部は変形を起こし、光学シートに対する押圧力を緩和する。
【００２９】
本発明に係るバックライトは、前記収容部材は長方形板状であり、前記収容部材は前記長方形の一の短辺側が開口された形状の収容部を有しており、該収容部の前記一の短辺側の側面には、前記脱落防止部材と嵌合される前記収容口が設けられ、前記収容部の長辺側には、一又は複数の前記被係止部及び押圧部材が設けられていることを特徴とする。
【００３０】
本発明にあっては、前記光学シートが前記収容口を介して収容部内に収容され、前記収容部の長辺側の前記押圧部材により固定される。従って、収容された光学シートの面に沿う方向への摺動及び厚み方向への移動の防止が確保された状態で、前記収容部材の運搬が可能となる。組み立てラインまで運搬された前記収容部材は、前記被係止部により、所定位置に係止され、組み立てられる。
【００３１】
本発明に係る表示装置は、前述の本発明のいずれか一つのバックライトと、該バックライトからの光を用いて画像を表示する表示パネルとを備えていることを特徴とする。
【００３２】
本発明にあっては、前記光学シートを予め前記収容部材に収容して置き、表示装置のバックライトの組み立てライン中の光学シートの組み立て工程において、光学シートが収容された状態の前記収容部材をそのまま組み立てることによりバックライトを組み立てる。表示パネルは該バックライトからの光を用いて画像を表示する。
【発明の効果】
【００３３】
本発明によれば、光学シートの縁と当接し、前記光学シートの周縁部を覆う凹部を有する枠体の収容部材を備えているので、該収容部材に前記光学シートを収容しておき、組み立て工程では光学シートの積層作業の代わりに、前記収容部材ごとに光学シートの組み立てを行うことにより、光学シートの運搬及び取り扱いが容易になると共に、組み立て作業の効率を向上させることが出来る。
【００３４】
本発明によれば、前記光学シートを収容部材に収容するための収容口と、前記光学シートが前記収容口から脱落することを防止する脱落防止部材とを備えているので、例えば、運搬中の振動、衝撃等が生じる場合であっても前記収容部材に収容された前記光学シートが前記収容口から脱落することを防止できる。
【００３５】
本発明によれば、バックライト側に前記収容部材を所定位置に係止する係止部材を備え、該係止部材に対応する被係止部を前記収容部材に設けているので、前記収容部材の位置決めが容易になると共に、前記収容部材のガタツキ及び位置ズレを防止することが出来る。
【００３６】
本発明によれば、前記収容部材は光学シートを押圧する押圧部材を備え、前記光学シートを押圧して固定するので、前記収容部材内に収容された光学シートがその面に沿う方向又は厚み方向へ移動し、光学シートが傷つくこと及び光学シートにシワ、シミが発生することを防止できる。
【００３７】
本発明によれば、前記押圧部材の圧接部が弾性を有しており、該圧接部を介して前記光学シートを押圧するので、運搬中に光学シートへ加わる衝撃を吸収すると共に、過度な押圧力から光学シートを保護することが出来る。
【００３８】
本発明によれば、前記収容部材が前記光学シートを収容する収容部を有しており、該収容部に前記脱落防止部材が嵌合される前記収容口と、前記被係止部と、前記押圧部材が設けられているので、前記収容部材の運搬及び組み立ての作業において、前記収容部材に収容された光学シートの面に沿う方向への摺動及び厚み方向への移動による光学シートの損傷を防止できる。
【発明を実施するための最良の形態】
【００３９】
以下本発明をその実施の形態を示す図面に基づいて詳述する。図１は本発明に係る表示装置１の一部を拡大した断面図である。
【００４０】
本発明に係る表示装置１は、直方体をなし画像を表示する表示パネル１１と、一端部が表示パネル１１の表側の周縁部を取り囲むフロントキャビネット５と、表示パネル１１の裏側に配置され光源等を有するバックライト２と、バックライト２の裏側にてバックライト２を支持するシャーシ３と、シャーシ３の裏面に取付けられインバータ回路基板、電源基板等を有する電気部品４と、電気部品４、シャーシ３及びバックライト２を裏側から覆うバックキャビネット６とを備える。バックキャビネット６は、表側が開放されている箱型であり、フロントキャビネット５の他段部がバックキャビネット６の縁部にて螺子止めされている。
【００４１】
バックライト２は後述の光学シート７１を収容する枠状の収容部材７と、両端部に電極を有し円筒状をなす複数の蛍光管２１，２１…と、蛍光管２１，２１…が放射した光を収容部材７側に反射させる反射板２２と、収容部材７及び反射板２２を保持する保持部材８と、収容部材７を固定する抑止部材１０とを備えており、蛍光管２１，２１…は表示パネル１１と平行的に並置されている。
【００４２】
反射板２２は、周縁部から立ち上がる立ち上がり部２２ａ及び、立ち上がり部２２ａの端から外方へ延出される鍔部２２ｂを有している。鍔部２２ｂは挿通孔２２ｃ，２２ｃを設けており、表側は収容部材７の周縁部と接している。
【００４３】
保持部材８は４箇所にて雄螺子９，９，９，９によって螺子止めされ、シャーシ３に固定されている。雄螺子９，９，９，９の長さは，表示パネル１１の厚み方向における保持部材８の長さより短い。また、保持部材８は反射板２２の鍔部２２ｂの裏側と接し、鍔部２２ｂの裏面に沿う扁平の保持面８ｂと、表示パネル１１の厚み方向に保持部材８を貫通する挿通孔２２ｃ，２２ｃと等しい直径の螺子孔８ｃ，８ｃ，８ｃ，８ｃを有している。反射板２２の立ち上がり部２２ａと対向する保持部材８の内側面は、立ち上がり部２２ａに沿う形状を有しており、保持部材８の外側面には抑止部材１０の一端部を嵌合する嵌合部８ａを設けている。
【００４４】
螺子孔８ｃ，８ｃ，８ｃ，８ｃは、シャーシ３側からは雄螺子９，９，９，９が螺合されており、４つの螺子孔８ｃ，８ｃ，８ｃ，８ｃの内、２つの螺子孔８ｃ，８ｃの反対側からは反射板２２及び収容部材７の位置を決めるための位置決めピン１２，１２が圧入されている。位置決めピン１２，１２の一端部は保持部材８の保持面８ｂから表示パネル１１方向へ突出しており、保持面８ｂから位置決めピン１２，１２の先端までの長さは、反射板２２の厚みより長く、反射板２２の厚みと、光学シート７１の厚み方向における収容部材７の長さとの和より短い。位置決めピン１２，１２の前記一端部は、反射板２２の挿通孔２２ｃ，２２ｃ及び、収容部材７の後述の位置決め孔７８，７８に挿通される。
【００４５】
抑止部材１０は、一端部が保持部材８の嵌合部８ａに嵌合されており、他段部は収容部材７の周縁部を保持部材８へ押圧している。
【００４６】
図２は本発明に係る表示装置１の収容部材７の分解斜視図であり、図３は収容部材７の組み立て後における斜視図であり、図４は、図３のIV‐IV線による断面図であり、図５は、図３のV‐V線による断面図である。
【００４７】
収容部材７は光学シート７１を収容しており、光学シート７１は反射偏光板７２、プリズムシート７３、拡散シート７４及び拡散板７５等が積層されており、表示パネル１１に対応する大きさの直方体の形状をなす。
【００４８】
収容部材７は長方形の枠状をなし、収容された光学シート７１の厚み方向の両面が開放されている。開放された両面の面積は、光学シート７１の面積より小さい。収容部材７は光学シート７１を収容する収容部７６と、蓋部７７とからなる。光学シート７１は、一の短辺側が開口された形状の収容部７６の前記一の短辺側に設けている挿入口７９を介して、収容部７６に挿入される。
【００４９】
収容部７６の内周面には、凹部８４を設けており、凹部８４によって光学シート７１の周縁部が取り囲まれるように保持される。凹部８４は収容部７６に対応する形状を有しており、光学シート７１の厚み方向における凹部８４の高さは、光学シート７１と、後述の押圧部材８０の圧接部８３の最大厚みとの和より少し大きい。また、収容部７６の各長辺側には収容部７６を所定位置に固定するための位置決め孔７８，７８を夫々設けている。各位置決め孔７８，７８は、収容部７６の長手方向の相互反対方向の端部に設けており、収容部７６を光学シート７１の厚み方向に貫通している。位置決めピン１２，１２の一端部を位置決め孔７８，７８に挿通させることにより、収容部７６（又は収容部材７）を所定位置に係止させ、収容部７６（又は収容部材７）のガタツキを防止することが出来る。
【００５０】
挿入口７９を蓋する蓋部７７は、収容部７６の長手方向に突出する凸部を設けており、光学シート７１の厚み方向における前記凸部の長さは、凹部８４の前記高さと略等しく、挿入口７９にて収容部７６と嵌合される。従って、光学シート７１が収容部７６から抜け落ちることを防ぐことが出来る。
【００５１】
収容部７６に収容された光学シート７１の裏側は周縁部が凹部８４のシート受部７６ａにより支持され、表側は周縁部が押圧部材８０，８０，８０…によってシート受部７６ａへ押圧され固定されることにより、光学シート７１の面に沿う方向及び厚み方向への移動を防止できる。
【００５２】
押圧部材８０，８０，８０…は、収容部７６の両長辺側に夫々３つずつ備えられている。弾性を有しており、光学シート７１と接する圧接部８３と、回転することによって圧接部８３を光学シート７１の厚み方向に移動させる螺子部８１，８１，８１…と、螺子部８１，８１，８１…を光学シート７１の方向へ付勢する付勢バネ８２，８２，８２…とを備えている。
【００５３】
螺子部８１，８１，８１…の端部は、収容部７６の表側に設けられている６つの螺子孔７６ｂ，７６ｂ，７６ｂ…を介して凹部８４内へ洞貫しており、螺旋状の付勢バネ８２，８２，８２…は螺子部８１，８１，８１…の前記端部を囲むように設けられている。
【００５４】
圧接部８３は矩形の板状をなし、シート受部７６ａより少し短い長さを有し、シート受部７６ａより少し狭い幅を有している。圧接部８３は、螺子部８１，８１，８１…と対応する位置で厚みを厚くして螺子部８１，８１，８１…に係る螺嵌孔８３ａ，８３ａ，８３ａ…を設けている。螺子部８１，８１，８１…の先端部は螺嵌孔８３ａ，８３ａ，８３ａ…にて圧接部８３と螺嵌している。
【００５５】
収容部７６に光学シート７１を収容する際には、螺子部８１，８１，８１…を一方向に回転させ、圧接部８３及びシート受部７６ａの間を広くしておく。光学シート７１が収容された後は、螺子部８１，８１，８１…を前記方向と反対方向に回転させ、圧接部８３及びシート受部７６ａの間を狭くする。これにより、圧接部８３は光学シート７１をシート受部７６ａへ押圧して固定する。
【００５６】
上述のような手法により予め光学シート７１を収容した収容部材７は、本発明に係るバックライト２又は表示装置１の組み立てラインにおける光学シート７１の積層の工程で、光学シート７１の積層の代わりに収容部材７ごとに組み立てられる。詳しくは、シャーシ３の表側に雄螺子９，９，９，９により、保持部材８を螺子止めする。保持部材８の保持面８ｂから表示パネル１１方向へ突出している位置決めピン１２，１２の先端部が、反射板２２の鍔部２２ｂの挿通孔２２ｃ，２２ｃに挿通するように、反射板２２を保持部材８に載置する。この際、位置決めピン１２，１２の先端部は挿通孔２２ｃ，２２ｃからも突出するようになるので、突出した位置決めピン１２，１２の先端部に、収容部材７の位置決め孔７８，７８を合わせ、収容部材７を載置する。
【００５７】
このように、光学シート７１の積層といった時間と手間が係る作業の代わりに、予め用意していた光学シート７１が収容された収容部材７をそのまま組み立てることにより、表示パネル１１の大型化に伴う光学シート７１の大型化による組み立てラインの遅延といった問題を解決するうえに、組み立ての作業を容易にし、作業効率を向上させることが出来る。
【００５８】
上述の実施の形態においては、凸部を有する蓋部７７を設け、前記凸部が挿入口７９にて収容部７６と嵌合することにより、光学シート７１が収容部７６から抜け落ちることを防ぐ場合について説明したが、これに限るものでなく、蓋部７７は光学シート７１の収容部７６からの抜け落ちを防止できる構造であれば良い。
【００５９】
また、上述の実施の形態においては、光学シート７１を固定するために、収容部７６の表側面に押圧部材８０，８０，８０…を設け、螺子部８１，８１，８１…の回転によって光学シート７１の押圧加減を調整する場合について説明したが、これに限るものでない。押圧部材８０，８０，８０…は収容部７６の側面でもよく、裏側面に設けても良い。また、光学シート７１の押圧加減の調整においては、螺子部８１，８１，８１…の回転によって行う場合に限るものでなく、押圧加減の調整が可能であれば良い。
【図面の簡単な説明】
【００６０】
【図１】本発明に係る表示装置の一部を拡大した断面図である。
【図２】本発明に係る表示装置の収容部材の分解斜視図である。
【図３】本発明に係る表示装置の収容部材の組み立て後における斜視図である。
【図４】図３のIV‐IV線による断面図である。
【図５】図３のV‐V線による断面図である。
【図６】従来の表示装置の全体の分解斜視図である。
【図７】従来の表示装置の一部を拡大した断面図である。
【符号の説明】
【００６１】
１  表示装置
２  バックライト
７  収容部材
１１  表示パネル
１２  位置決めピン
２１  蛍光管
７１  光学シート
７６  収容部
７７  蓋部
７８  位置決め孔
７９  挿入口
８０  押圧部材
８３  圧接部
８４  凹部
【図１】
2008140709.tif 000003
【図２】
2008140709.tif 000004
【図３】
2008140709.tif 000005
【図４】
2008140709.tif 000006
【図５】
2008140709.tif 000007
【図６】
2008140709.tif 000008
【図７】
2008140709.tif 000009